(57)【特許請求の範囲】
【請求項１】
支持基台と、上記支持基台の一端部に設けられ、粘着テープを支持するテープ支持部と、粘着テープの引き出し路における粘着テープ側に設けられ、上端が引き出されたテープに接触可能な位置に配置された第一回動部材と、上記支持基台の他端部に設けられ、テープ切断位置となるストッパーと、上記第一回動板と上記ストッパーの間に下端部が支持された回動刃と、上記回動刃を常時テープ側に付勢する付勢手段と、上記回動刃と上記第一回動板との間に設けられ、上端が引き出されたテープに接触可能な位置に配置された第二回動部材とを備え、上記回動刃の上端は常時上記第二回動部材に接触するとともに常時上記第二回動部材の上端よりも引き出されたテープに対して遠い位置にあり、上記回動刃が上記付勢手段の付勢力に抗して、上記ストッパーに当接するまで回動した時、上記回動刃の上端が、上記第二回動板の上端よりもテープに近づくように構成したテープカッター。
【発明の詳細な説明】
【技術分野】
【０００１】
本発明は粘着テープを引き出し、切断した時に粘着テープの切断端部に折り返し部が形成できるテープカッターに関するものである。          
【背景技術】
【０００２】
テープ端部に折り返し部を形成できるテープカッターとしては下記特許文献1のようなものが提案されている。すなわちテープの先端を折り曲げて粘着面同士を貼り付ける構成として、切断刃の取り付けられた作用碗が粘着テープを引き出した際に、この粘着テープにより切断位置まで引き出され、切断動作によって切断された作用碗がスプリングによりテープ側の、粘着テープが張り付いたローラーまで回動し、テープ先端部に折り返し部を形成する物である。しかし粘着テープを引き出し、刃の取り付けられた作用碗を切断位置まで引き出すのであるが、引き出し途中で粘着テープが不測に切れてしまう事があり、又粘着テープの品質により粘着のりの薄い物があり、刃の上を滑り刃が切断位置まで回動しない場合がある。
【０００３】
特許文献2の場合は台座に搭載された粘着テープと同じ台座に設置されたテープカッター刃との間に固定接着部と可動接着部となる揺動板の、2つのテープ接着部を設け、固定接着部に付勢された可動接着部に、粘着テープより引き出された粘着テープを貼り付けた状態で切断刃まで引き出し、切断後スプリングで2つの接着部間に張られた粘着テープの可動接着部が元の固定接着部に回動させる事により、粘着テープの粘着面を内側となるテープの輪を形成する構成となっている。
【０００４】
この様に引き出された粘着テープを揺動板上に貼り付け、切断刃までテープを引き出し切断するのであるが、スプリングにより揺動板が固定接着部に戻るとき、固定接着部と粘着テープに張力がかかっている為、固定接着部に貼り付いている部分が剥がれやすくテープの輪を形成できない確率が高まる、又切断刃がむき出しの為切断能力の高い切断刃を装着出来ない問題点が有る。
【先行技術文献】
【特許文献】
【０００５】
【特許文献１】特公昭  ５０−３４４７９号  公報
【特許文献２】特開  ２００６−８４０６  公報
【発明の概要】
【発明が解決しようとする課題】
【０００６】
本発明は上記のような問題を解決し、よく切れる切断刃の装着が出来、操作性が良く、確実に粘着テープ終端に折り返し部が形成され、使用しないときは刃が出ない極めて安全なテープカッターを提供するものである。
【課題を解決するための手段】
【０００７】
支持基台と上記支持貴台の一端部に設けられ、粘着テープを支持するテープ支持部と、粘着テープの引き出し路における粘着テープ側に設けられ、上端部が引き出された粘着テープに接触可能な位置に配置された第一回動部材と、上記支持基台の他端部に設けられ、粘着テープ切断位置となるストッパーと、上記第一回動板と上記ストッパーの間に下端部が支持された回動刃と、上記回動刃を常時粘着テープ側に付勢する付勢手段と上記回動刃と上記第一回動板との間に設けられ、上端が引き出された粘着テープに接触可能な位置に配置された第二回動部材とを備え、上記回動刃の上端は常時第二回動部材の上端よりも引き出された粘着テープに対して遠い位置にあり、上記回動刃が上記付勢手段の付勢力に抗して、上記ストッパーに当節するまで回動した時、上記回動刃の上端が、上記第二回動板の上端よりも粘着テープに近づくように構成した。        
【発明の効果】
【０００８】
この発明により、回動刃の先端部の切断刃は第二回動部材の先端部より下になっている状態により、引き出された粘着テープを、この第二回動板先端部に貼り付けストッパーまで引き出すが、そのストッパーに近づく直前に切断刃先端部が第二回動板先端より上に出る構成により、切断動作で粘着テープが切断できる、同時に回動刃は付勢されたトーションバネにより第二回動板と共に第一回動板先端まで回動し、折り返し部が形成できるが同時に第一回動板もテープ側に回動しその間の張力が無くなる為、第二回動板先端に張り付いたテープの剥がれが無くなり確実に折り返し部が形成できる、且つ使用しない時は回動刃の良く切れる切断刃の装着にも拘らず、切断刃が出ていない極めて安全で、粘着テープ切断も切れ味よく操作性が良い利点がある。
【図面の簡単な説明】
【０００９】
【図１】本発明のテープカッターの側面図
【図２】要部の動作を示す側面図
【図３】要部の動作を示す側面図
【発明を実施するための形態】
【００１０】
本発明の実施形態を、図面を用いて説明する。
図1は全体の構成を示す、本発明のテープカッターは重量の有る支持基台２２の一端部に、着脱及び回転可能に保持される回転軸部材２３が設けられている。回転軸部材２３は粘着テープ１１の環状の芯１１aが着脱自在に嵌められるように構成された支持基台２２の長さ方向の中間部に保持される。
【００１１】
支持基台２２の他端部には回転軸部材２３の中心位置よりも若干高い位置まで伸びる起立部24が形成され起立部２４には、粘着テープ１１の切断を行う回動刃３７の切断位置としてのストッパー3９が設けられている。このストッパー３９と粘着テープ１１の間が所望長さに切断される粘着テープ１１を引き出す引き出し路である。
【００１２】
粘着テープ側に、先端部に被粘着部３３を有する第一回動板３０が回動軸３１と共に設けられ、この回動範囲は固定部３２と４１の僅かな距離を回動する。第二回動板３４は第二回動軸３８により回動可能に支持されストッパー３９まで回動するが、この第二回動板３４とストッパー３９の間に回動刃３７が回動刃軸３８によって回動可能に支持されるように設けられ、常にテープ側に付勢するトーションバネ４０が備えられている為、回動刃３７は第二回動板３４を第一回動板３０側に押し付けている。
【００１３】
第一回動板先端部３３と第二回動板先端部３５が接触している時は、回動刃３７の切断刃先端部は第二回動板先端部３３より下に位置するように回動軸が設けられており、その第二回動板先端部３５は幅全体にわたって適宜角度に内向きに折曲され、先端部３５が引き出された粘着テープに張り付きストッパー３９まで引き出された時、回動刃3７の先端部の切断刃部分がテープ切断に必要な分だけその第二回動板３５の先端部より上に出るように各回動軸が設けられている。
【００１４】
この様に構成されたテープカッターは次のように使用される。
もう少し詳しく粘着テープ１１の端部を引き出し図２に仮想線で示したように、粘着テープの引き出しを行い、第二回動板３４の先端部３５に粘着テープを貼り付けるが、この時の回動刃３７の先端部の切断刃は第二回動板３４の上端部よりも下になっており、さらにテープを引き出し、粘着テープの先端から所望の長さになる位置まで粘着テープをストッパー３９まで引き出すが、このストッパー位置に来る直前に切断刃先端が第二回動板先端３５より上に出てくる為、切断動作により粘着テープは切断できる。
【００１５】
切断と同時に図３の仮想線に示したように回動刃３７がトーションバネ４０により第一回動板３０方向に回動し、第二回動板３４をも第一回動板３０方向に回動させる事となるが、その第二回動板先端３５が第一回動板３０に近づくと回動刃３７の回動刃先端部は第二回動板先端３３より下に下がり、テープは第二回動板先端部３５に張り付いているので第一回動板先端部３３とで折り返し部が形成される、このとき同時に第一回動板３０は僅かテープ側に戻る為、テープ25に若干のたるみが生じ張力が無くなる事により第一回動板先端部３３に張り付いた粘着テープの剥がれを解消する事となり確実に折り返し部が出来る。
【産業上の利用可能性】
【００１６】
粘着テープの使用状態は殆どが仮止めとして使用されており確実に接着する場合には耐久性及び信頼性の面から使用されることは極めて少なく、貼り付けた場合極めて剥がしにくく、そこで簡単に剥がせることが出来れば仮止めの目的がさらに達成でき、貼り付けられた包装紙等を剥がす場合、傷や汚れが最小限に留める事が出来る。
【００１７】
且つそれらの再利用も出来るなどエコにも繋がるメリットがある、又切断刃は使用しない時には表面には出ない為切断能力の高い良く切れる切断刃を装着できる事により操作性の良い極めて安全で、どの様な環境にも安全に使用できる。
【符号の説明】
【００１８】
１１・・・粘着テープ
１１a・・・粘着テープの芯
１２・・・折り返し部
２１・・・テープカッター
２２・・・支持基台
２３・・・回転軸部材
２４・・・起立部
２５・・・引出し路
３０・・・第一回動板
３１・・・第一回動板軸
３２・・・固定部
３３・・・第一回動板先端部
３４・・・第二回動板
３５・・・第二回動板先端部
３６・・・第二回動板軸
３７・・・回動刃
３８・・・回動刃軸
３９・・・ストッパー
４０・・・トーションバネ
【図１】
0005211367.tif 000002
【図２】
0005211367.tif 000003
【図３】
0005211367.tif 000004